(57)【要約】【課題】レバーが不用意に回動されるのを防止する。【解決手段】レバー４０には、引っ掛かり位置、引っ掛かり解除位置及びロック解除位置に変位可能なレバーロック部４６が設けられている。引っ掛かり位置では、レバーロック部４６の引っ掛け部５１がレバーロック受け部１８の被引っ掛け部２２に引っ掛け係止されることで、レバーロック部４６が係止解除方向に変位するのが規制される。引っ掛かり解除位置では、相手ハウジング６０の強制変位部６４によって引っ掛け部５１が係止解除方向と交差する方向に変位させられて被引っ掛け部２２との引っ掛かりを解除する。ロック解除位置では、相手ハウジング６０のロック解除部６３によってレバーロック部４６が係止解除方向に変位させられてレバーロック部４６がレバーロック受け部１８との係止を解除してレバー４０の嵌合位置への回動を許容する。【選択図】図６
2014149954.tif 000002
【特許請求の範囲】
【請求項１】
相手ハウジングと嵌合可能なハウジングと、
前記ハウジングに対して初期位置と嵌合位置との間を回動可能に取り付けられ、前記相手ハウジングと係合した状態で、前記初期位置から前記嵌合位置に回動されることにより、前記相手ハウジングと前記ハウジングとの嵌合を進めるレバーとを備え、
前記レバーにはレバーロック部が設けられ、前記ハウジングにはレバーロック受け部が設けられ、前記相手ハウジングにはロック解除部が設けられ、前記レバーロック部が前記レバーロック受け部に弾性係止されることで前記レバーが前記初期位置に留め置かれるコネクタであって、
前記レバーロック部には引っ掛け部が設けられ、前記レバーロック受け部には被引っ掛け部が設けられ、前記相手ハウジングには強制変位部が設けられており、
前記レバーロック部は、前記引っ掛け部が前記被引っ掛け部に引っ掛け係止されることで前記ハウジングから離間する係止解除方向への変位が規制される引っ掛かり位置と、前記強制変位部によって前記引っ掛け部が前記係止解除方向と交差する方向に強制的に変位させられることで前記引っ掛け部が前記被引っ掛け部との引っ掛かりを解除する引っ掛かり解除位置と、前記ロック解除部によって前記レバーロック部が前記係止解除方向に変位させられることで前記レバーロック部が前記レバーロック受け部との係止を解除して前記レバーの前記嵌合位置への回動を許容するロック解除位置とに、順次変位することを特徴とするレバー式コネクタ。
【請求項２】
前記レバーロック部は、前記レバーロック受け部側に突出するレバーロック本体を有し、前記引っ掛け部は、前記レバーロック本体の外面に前記レバーロック本体の突出方向と交差する方向に突出する形態とされ、前記レバーロック受け部は、前記レバーロック本体の突出方向に沿ったレバーロック受け本体を有し、前記被引っ掛け部は前記レバーロック受け本体の内面に前記レバーロック本体の突出方向と交差する方向に凹む形態とされ、前記引っ掛かり位置では、前記引っ掛け部が前記被引っ掛け部内に進入して前記レバーロック本体が前記レバーロック受け本体内に位置し、前記引っ掛かり解除位置では、前記引っ掛け部が前記被引っ掛け部から抜け出して前記引っ掛け部と前記レバーロック本体の全体が前記レバーロック受け本体内に位置していることを特徴とする請求項１記載のレバー式コネクタ。
【請求項３】
前記強制変位部と前記ロック解除部とが互いに隣接して一体に設けられていることを特徴とする請求項１又は２記載のレバー式コネクタ。
【発明の詳細な説明】
【技術分野】
【０００１】
本発明は、レバー式コネクタに関する。
【背景技術】
【０００２】
特許文献１に記載のレバー式コネクタは、相手ハウジング（特許文献１では「雄側コネクタハウジング」と呼称）に嵌合可能なハウジング（特許文献１では「雌側コネクタハウジング」と呼称）と、ハウジングに対して初期位置と嵌合位置との間を回動可能に取り付けられるレバー（特許文献１では「回動レバー」と呼称）とを備えている。レバーには、撓み可能なレバーロック部（特許文献１では「可撓片」と呼称）が設けられ、ハウジングには、レバーロック受け部（特許文献１では「切り込み」と呼称）が設けられている。また、相手ハウジングには、ロック解除部（特許文献１では「リブ」と呼称）が設けられている。レバーロック部がレバーロック受け部に弾性的に係止されることでレバーが初期位置に留め置かれる。一方、両ハウジングの嵌合開始時に、ロック解除部がレバーロック部の先端と干渉することにより、レバーロック部がレバーロック受け部との係止を解除する方向に押し出され、これによってレバーの嵌合位置への回動が許容されるようになっている。
【先行技術文献】
【特許文献】
【０００３】
【特許文献１】特開平９−１２０８６２号公報
【発明の概要】
【発明が解決しようとする課題】
【０００４】
ところで、ハウジングが相手ハウジングに嵌合される前の単体状態のときに、例えば、レバーに対し嵌合位置に向けて大きい外力（空回しする力）が作用すると、レバーロック部とレバーロック受け部との係止が解除され、レバーが嵌合位置へ向けて不用意に回動されるおそれがあった。
【０００５】
本発明は上記のような事情に基づいて完成されたものであって、レバーが不用意に回動されるのを防止することを目的とする。
【課題を解決するための手段】
【０００６】
本発明は、相手ハウジングと嵌合可能なハウジングと、前記ハウジングに対して初期位置と嵌合位置との間を回動可能に取り付けられ、前記相手ハウジングと係合した状態で、前記初期位置から前記嵌合位置に回動されることにより、前記相手ハウジングと前記ハウジングとの嵌合を進めるレバーとを備え、前記レバーにはレバーロック部が設けられ、前記ハウジングにはレバーロック受け部が設けられ、前記相手ハウジングにはロック解除部が設けられ、前記レバーロック部が前記レバーロック受け部に弾性係止されることで前記レバーが前記初期位置に留め置かれるコネクタであって、前記レバーロック部には引っ掛け部が設けられ、前記レバーロック受け部には被引っ掛け部が設けられ、前記相手ハウジングには強制変位部が設けられており、前記レバーロック部は、前記引っ掛け部が前記被引っ掛け部に引っ掛け係止されることで前記ハウジングから離間する係止解除方向への変位が規制される引っ掛かり位置と、前記強制変位部によって前記引っ掛け部が前記係止解除方向と交差する方向に強制的に変位させられることで前記引っ掛け部が前記被引っ掛け部との引っ掛かりを解除する引っ掛かり解除位置と、前記ロック解除部によって前記レバーロック部が前記係止解除方向に変位させられることで前記レバーロック部が前記レバーロック受け部との係止を解除して前記レバーの前記嵌合位置への回動を許容するロック解除位置とに、順次変位するところに特徴を有する。
【発明の効果】
【０００７】
ハウジングが嵌合前の単体状態にあるときに、仮に、レバーに外力が作用しても、レバーロック部が引っ掛かり位置にあれば、レバーロック部の引っ掛け部がレバーロック受け部の被引っ掛け部に引っ掛け係止されることで、レバーロック部が係止解除方向に変位するのが規制され、レバーロック部とレバーロック受け部との係止が解除されるのが防止される。その結果、レバーが嵌合位置に向けて不用意に回動されるのが防止される。
【０００８】
一方、相手ハウジングとの嵌合時には、相手ハウジングの強制変位部によって引っ掛け部が被引っ掛け部との引っ掛かりを解除する方向に強制的に変位させられてレバーロック部が引っ掛かり解除位置に至り、さらに、相手ハウジングのロック解除部によってレバーロック部がレバーロック受け部との係止を解除してロック解除位置に至り、これによってレバーの嵌合位置への回動操作が可能となる。
【図面の簡単な説明】
【０００９】
【図１】実施例１のレバー式コネクタの平面図である。
【図２】レバー式コネクタの正面図である。
【図３】両ハウジングの嵌合開始時に、強制変位部によって引っ掛け部が被引っ掛け部との引っ掛かりを解除する方向に強制変位させられた状態を正面視方向から見た断面図である。
【図４】さらに、ロック解除部によってレバーロック部がレバーロック受け部との係止を解除する方向に撓み変形した状態を側面視方向から見た断面図である。
【図５】引っ掛け部が被引っ掛け部に引っ掛け係止され、レバーロック部が引っ掛かり位置に保たれた状態を正面視方向から見た要部の断面図である。
【図６】両ハウジングの嵌合開始時に、強制変位部によって引っ掛け部が被引っ掛け部との引っ掛かりを解除する方向に強制変位させられた状態を正面視方向から見た要部の断面図である。
【図７】さらに、ロック解除部によってレバーロック部がレバーロック受け部との係止を解除する方向に撓み変形した状態を正面視方向から見た要部の断面図である。
【図８】相手ハウジングの斜視図である。
【図９】相手ハウジングにおけるロック解除部及び強制変位部の部分的な斜視図である。
【図１０】レバーの斜視図である。
【図１１】レバーにおけるレバーロック受け部の部分的な斜視図である。
【図１２】実施例２のレバー式コネクタにおいて、レバーロック部が引っ掛かり位置（Ａ）から引っ掛かり解除位置（Ｂ）を経てロック解除位置（Ｃ）に至り、もってレバーロック部とレバーロック受け部との係止が解除される過程を説明する要部の断面図である。
【発明を実施するための形態】
【００１０】
本発明の好ましい形態を以下に示す。
前記レバーロック部は、前記レバーロック受け部側に突出するレバーロック本体を有し、前記引っ掛け部は、前記レバーロック本体の外面に前記レバーロック本体の突出方向と交差する方向に突出する形態とされ、前記レバーロック受け部は、前記レバーロック本体の突出方向に沿ったレバーロック受け本体を有し、前記被引っ掛け部は前記レバーロック受け本体の内面に前記レバーロック本体の突出方向と交差する方向に凹む形態とされ、前記引っ掛かり位置では、前記引っ掛け部が前記被引っ掛け部内に進入して前記レバーロック本体が前記レバーロック受け本体内に位置し、前記引っ掛かり解除位置では、前記引っ掛け部が前記被引っ掛け部から抜け出して前記引っ掛け部と前記レバーロック本体の全体が前記レバーロック受け本体内に位置している。したがって、レバーロック部とレバーロック受け部のそれぞれの構成が格別複雑になることがなく、スペース効率も良好となる。
【００１１】
前記強制変位部と前記ロック解除部とが互いに隣接して一体に設けられている。これにより、相手ハウジング側の構成も特に複雑になることがない。
【００１２】
＜実施例１＞
本発明の実施例１を図１〜図１１によって説明する。実施例１のレバー式コネクタは、相手ハウジング６０と嵌合可能なハウジング１０と、ハウジング１０に対して初期位置と嵌合位置との間を回動可能に取り付けられるレバー４０とを備えている。なお、以下の説明において前後方向については、両ハウジング１０、６０の相互の嵌合面側を前方とし、上下方向については、図２を基準とする。
【００１３】
相手ハウジング６０は合成樹脂製であってブロック状の形態とされ、図８に示すように、その内部に複数の端子挿入部６１が形成されている。端子挿入部６１には、図示しない相手端子金具が挿入されて係止される。図３に示すように、相手ハウジング６０の上下両面の幅方向中央部には、一対のカムフォロア６２が突設されている。
【００１４】
また、相手ハウジング６０の上面両面のそれぞれには、図８に示すように、カムフォロア６２を挟んだ幅方向両側のうち、幅方向一側にロック解除部６３及び強制変位部６４が設けられ、幅方向他側にガイドリブ６５が設けられている。ガイドリブ６５は、前後方向に延びる形態とされ、カムフォロア６２と隣接する位置以外にも相手ハウジング６０の外面に周方向に間隔をあけて複数配置されている。かかるガイドリブ６５は、両ハウジング１０、６０の嵌合過程でハウジング１０の後述するガイドリブ受け部１９に嵌合され、これによって両ハウジング１０、６０の嵌合をガイドする役割をはたす。
【００１５】
ロック解除部６３は、図９に示すように、前後方向に延びる形態とされ、その前端がガイドリブ６５の前端よりも後方に控えて位置している。ロック解除部６３の前端には、外側に向けて後方に傾斜するテーパ状の解除案内面６６が形成されている。両ハウジング１０、６０の嵌合過程では、後述するレバーロック部４６がロック解除部６３の解除案内面６６を摺動することにより、レバーロック部４６が撓み変形させられ、これによってレバーロック部４６と後述するレバーロック受け部１８との係止が解除されるようになっている。
【００１６】
強制変位部６４は、図９に示すように、ロック解除部６３の幅方向一端側に隣接して一体に連結され、且つロック解除部６３の前端より前方に細長く延びる板片状の形態とされている。また、強制変位部６４は、ロック解除部６３よりも幅狭で、且つロック解除部６３よりも低背とされている。強制変位部６４の前端には、幅方向他側（ロック解除部６３側）に向けて後方に傾斜するテーパ状の変位案内面６７が形成されている。
【００１７】
ハウジング１０は合成樹脂製であって、図２及び図４に示すように、ブロック状のハウジング本体１１と、ハウジング本体１１の前端外周から前方に突出する筒状のフード部１２とを有している。ハウジング本体１１の内部には、相手ハウジング６０の各端子挿入部６１と対向する位置に、複数のキャビティ１３が形成されている。各キャビティ１３内には、図示しない端子金具が挿入されて係止される。また、各キャビティ１３内に端子金具が正規挿入されると、端子金具の前端側のタブ状部分がフード部１２内に突出して配置されて、相手端子金具と接続可能となる。なお、実施例１の場合、各キャビティ１３及び各端子挿入部６１は、図示しないサブハウジングに形成されることもあり、図４に示すように、ハウジング本体１１及び相手ハウジング６０には、それぞれ、サブハウジングを収容可能なサブハウジング収容室１４及び相手サブハウジング収容室６８が形成されている。
【００１８】
図１及び図２に示すように、フード部１２の上下両壁の幅方向中央部には、その前端から後方に凹む一対の導入部１５が形成されている。導入部１５の内部は、幅方向に一対の隔壁１６によって区画され、両隔壁１６間に、カムフォロア６２が進入可能なカムフォロア受け部１７が設けられ、幅方向一側の隔壁１６とそれに対向する導入部１５の幅方向一側縁との間に、レバーロック受け部１８が設けられ、さらに、幅方向他側の隔壁１６とそれに対向する導入部１５の幅方向他側縁との間に、ガイドリブ受け部１９が設けられている。
【００１９】
図３に示すように、両ハウジング１０、６０の嵌合時、カムフォロア受け部１７にはカムフォロア６２が遊挿状態で挿入され、レバーロック受け部１８にはロック解除部６３及び強制変位部６４がそれぞれ挿入され（図３は強制変位部６４が挿入される場合を示し、ロック解除部６３が挿入される場合は図７を参照）、ガイドリブ受け部１９にはガイドリブ６５が嵌合状態で挿入されるようになっている。ガイドリブ受け部１９は、各ガイドリブ６５と対向する位置に、フード部１２の周方向に間隔をあけて複数配置されている。
【００２０】
レバーロック受け部１８は、図５〜図７に示すように、フード部１２の上下両壁を厚み方向に貫通するレバーロック受け本体２１と、レバーロック受け本体２１の幅方向両側の内面のうち、導入部１５の幅方向一側縁を構成する内面に凹み形成される被引っ掛け部２２とで構成されている。
【００２１】
レバーロック受け本体２１の開口幅は、ガイドリブ受け部１９の開口幅とほぼ同一であって、図６に示すように、レバーロック部４６の幅寸法（後述するレバーロック本体４９と引っ掛け部５１のそれぞれの幅寸法を加算した値）よりも少し大きくされている。
【００２２】
被引っ掛け部２２は、断面略矩形状をなし、レバーロック受け本体２１の内側端に位置してフード部１２の内周面に開口する形態とされている。そして、被引っ掛け部２２には、レバー４０の後述する引っ掛け部５１が嵌合状態で挿入されるとともに（図５を参照）、両ハウジング１０、６０の嵌合時に強制変位部６４が挿入されるようになっている（図６を参照）。図５に示すように、被引っ掛け部２２の内面のうち、幅方向に沿って略水平に配置される面は、引っ掛け部５１の引っ掛け面５２と面当たり可能な被引っ掛け面２３とされている。また、図１に示すように、ハウジング１０の上下両面には、一対の支軸２４が突設されている（図１には１つのみ図示）。
【００２３】
レバー４０は合成樹脂製であって、図１０に示すように、上下方向に沿った操作部４１と、操作部４１の上下両端から略平行に突出する一対のアーム部４２とからなり、全体として門型板状をなしている。両アーム部４２には、一対の軸受け部４３が貫設されている。かかるレバー４０は、ハウジング１０に跨るように装着され、軸受け部４３に支軸２４が嵌挿して支持された状態で、支軸２４の軸周りに初期位置と嵌合位置との間を回動可能とされている。また、アーム部４２には、所定方向に延びてアーム部４２の外周縁に開口するカム溝４４が形成されている。カム溝４４は、アーム部４２を厚み方向Ｘに貫通する形態とされ、その溝面に相手ハウジング６０のカムフォロア６２が摺動可能とされている。そして、アーム部４２には、カム溝４４の入り口を外側から覆うブリッジ部４５が架設されている。ブリッジ部４５によってアーム部４２の剛性の低下が防止されるようになっている。
【００２４】
さらに、両アーム部４２には、一対のレバーロック部４６が設けられている。レバーロック部４６は、アーム部４２を厚み方向Ｘに貫通する略Ｕ字形のスリット４７内に撓み可能に配置されている。具体的にはレバーロック部４６は、図１０及び図１１に示すように、カム溝４４の入り口が開口するアーム部４２の外周縁側に向けて片持ち状に延出する延出部４８と、延出部４８の延出先端側から厚み方向Ｘの内側（対向するアーム部４２が位置する側）に突出するレバーロック本体４９と、レバーロック本体４９の突出先端側から厚み方向Ｘと交差する幅方向Ｙに突出する引っ掛け部５１とで構成されている。
【００２５】
延出部４８は、断面略矩形状であって、図１１に示すように、延出方向の全長に亘ってほぼ一定の幅寸法を有している。また、延出部４８は、スリット４７内にてアーム部４２の本体部分（アーム部４２のうちのレバーロック部４６を除く部分）の厚み範囲に形成されている。ここで、延出部４８は、アーム部４２の本体部分に連なる基端部を支点として、厚み方向Ｘ及び幅方向Ｙに撓み変形可能とされている。
【００２６】
レバーロック本体４９は、同じく断面略矩形状であって、図１１に示すように、延出部４８の延出先端側の内面に一体に連結されて起立する形態とされている。レバーロック本体４９の基端部は、延出部４８と同幅で且つその突出方向にほぼ一定の幅寸法を有する一方、レバーロック本体４９の先端部は、引っ掛け部５１が連結される側とは反対側の先端角部が斜めに切欠された切欠面５３を有する形態になっている。
【００２７】
また、引っ掛け部５１は、被引っ掛け部２２と対応する形状をなし、延出部４８の延出方向に沿った長さ方向Ｚに関してレバーロック本体４９とほぼ同一の寸法を有している。引っ掛け部５１の外面のうち、幅方向Ｙに略水平に配置される幅狭の外面は、引っ掛け面５２とされている。
【００２８】
ここで、レバーロック部４６は、以下に詳述するように、両ハウジング１０、６０の嵌合過程で、引っ掛け部５１が被引っ掛け部２２に引っ掛け係止される引っ掛かり位置（図５を参照）と、引っ掛かり位置から幅方向Ｙの他側（係止解除方向と交差する方向）に変位して、引っ掛け部５１と被引っ掛け部２２との引っ掛かりが解除される引っ掛かり解除位置（図６を参照）と、引っ掛かり解除位置から厚み方向Ｘの外側（係止解除方向）に変位して、レバーロック部４６とレバーロック受け部１８との係止が解除されるロック解除位置（図７を参照）とに、順次移行するようになっている。
【００２９】
次に、実施例１のレバー式コネクタの作用効果を説明する。
まず、ハウジング１０にレバー４０が組み付けられて初期位置に留め置かれる。すると、図１に示すように、レバー４０のカム溝４４の入り口がハウジング１０の導入部１５と内外で連通して前方に開口した状態となる。また、初期位置では、図５に示すように、レバーロック部４６のレバーロック本体４９がレバーロック受け部１８のレバーロック受け本体２１に弾性的に進入するとともに、レバーロック部４６の引っ掛け部５１がレバーロック受け部１８の被引っ掛け部２２に嵌合状態で挿入される。この状態で、仮に、レバー４０に対して嵌合位置側への外力（空回しする力）が作用しても、レバーロック本体４９がレバーロック受け本体２１の幅方向Ｙの一側縁に当接することにより、レバー４０が嵌合位置側に向けて回動されるのを防止することができる。
【００３０】
また、万一、レバー４０に対して嵌合位置側への大きい外力が作用しても、引っ掛け部５１の引っ掛け面５２が被引っ掛け部２２の被引っ掛け面２３に当接することにより、レバーロック部４６が厚み方向Ｘの外側に撓み変形するのが防止され、もってレバーロック本体４９とレバーロック受け本体２１との係止が確実に維持される。したがって、仮に、レバー４０を初期位置に装着したハウジング１０が相手ハウジング６０と嵌合される前の単体状態で、コネクタが搬送されても、レバーロック部４６が上記のように引っ掛かり位置に保持されている限り、レバー４０が嵌合位置に向けて回動されることはない。
【００３１】
続いて、ハウジング１０が相手ハウジング６０に正対され、その状態で、両ハウジング１０、６０が互いに嵌合される。嵌合開始時には、レバー４０のカム溝４４の入り口内に、カムフォロア受け部１７を介して相手ハウジング６０のカムフォロア６２が進入するとともに、図３に示すように、ガイドリブ受け部１９内にガイドリブ６５が進入し、且つ、レバーロック受け部１８の被引っ掛け部２２内に強制変位部６４が進入する。すると、引っ掛け部５１が強制変位部６４と当接して変位案内面６７を摺動し、それに伴って延出部４８が基端部を支点として幅方向Ｙの他側に強制的に弾性変位させられる。こうしてレバーロック部４６が引っ掛かり解除位置に至ると、図６に示すように、引っ掛け部５１が被引っ掛け部２２から押し出されてレバーロック受け本体２１側に移行するとともに強制変位部６４の幅方向Ｙの他側面に乗り上げられた状態となる。なお、レバーロック部４６が引っ掛かり解除位置に至るまでの間、相手ハウジング６０のロック解除部６３は、レバーロック受け本体２１内に位置するレバーロック本体４９と対向する位置に配置され、レバーロック受け本体２１とは接触しない状態に保たれている。
【００３２】
次いで、ハウジング１０に相手ハウジング６０がより深く嵌合される。すると、レバーロック受け本体２１がロック解除部６３と当接して解除案内面６６を摺動し、それに伴って延出部４８が基端部を支点として厚み方向Ｘの外側に強制的に弾性変位させられる。レバーロック部４６がロック解除位置に至ると、図７に示すように、レバーロック本体４９を含むレバーロック部４６の全体がレバーロック受け部１８から押し出されてアーム部４２のスリット４７側に退避し、且つ、レバーロック本体４９がロック解除部６３の外側面に乗り上げられた状態となる。これにより、レバー４０の初期位置におけるロック状態が完全に解除され、レバー４０の嵌合位置への回動が許容されることになる。
【００３３】
続いて、操作部４１を摘みつつレバー４０を嵌合位置に向けて回動する。すると、カムフォロア６２がカム溝４４の溝面を摺動して、レバー４０と相手ハウジング６０との間にカム作用が発揮され、これによって両ハウジング１０、６０が低操作力で嵌合されて行く。その後、レバー４０が嵌合位置に到達すると、両ハウジング１０、６０が正規嵌合状態となり、端子金具が相手端子金具と正規深さで導通接続される。
【００３４】
以上説明したように、実施例１によれば、ハウジング１０が嵌合前の単体状態にあるときに、仮に、レバー４０に外力が作用しても、レバーロック部４６が引っ掛かり位置にあれば、レバーロック部４６の引っ掛け部５１がレバーロック受け部１８の被引っ掛け部２２に引っ掛け係止されることで、レバーロック部４６がハウジング１０から離間する係止解除方向（厚み方向Ｘの外側）に変位するのが規制されるため、レバーロック部４６とレバーロック受け部１８との係止が解除されるのが防止される。その結果、レバー４０が嵌合位置に向けて不用意に回動されるのが防止される。
【００３５】
また、両ハウジング１０、６０の嵌合開始時に、相手ハウジング６０の強制変位部６４によって引っ掛け部５１が被引っ掛け部２２との引っ掛かりを解除する方向（幅方向Ｙの他側）に強制的に変位させられてレバーロック部４６が引っ掛かり解除位置に至り、さらに、ロック解除部６３によってレバーロック部４６がレバーロック受け部１８との係止を解除するロック解除位置に至ることにより、レバー４０の嵌合位置への回動操作が可能となる。
【００３６】
また、引っ掛け部５１がレバーロック本体４９の外面から突出する形態とされ、被引っ掛け部２２がレバーロック受け本体２１の内面に凹む形態とされ、引っ掛かり位置では、引っ掛け部５１が被引っ掛け部２２に進入してレバーロック本体４９がレバーロック受け本体２１に位置し、引っ掛かり解除位置では、引っ掛け部５１が被引っ掛け部２２から抜け出して引っ掛け部５１とレバーロック本体４９がいずれもレバーロック受け本体２１に位置するため、レバーロック部４６とレバーロック受け部１８のそれぞれの構成が格別複雑になることがなく、スペース効率も良好となる。
【００３７】
さらに、相手ハウジング６０には強制変位部６４とロック解除部６３とが互いに隣接して一体に設けられているため、相手ハウジング６０側の構成も特に複雑になることがない。
【００３８】
＜実施例２＞
図１２（Ａ）〜（Ｃ）は、実施例２のレバー式コネクタを示す。実施例２では、レバーロック部４６Ａの形態が実施例１と異なるが、その他は実施例１と概ね同様であるため、実施例１と同様の構成には同一符号を付して重複する説明は省略する。
【００３９】
レバーロック本体４９は、アーム部４２の厚み方向Ｘの内側に突出する形態とされ、その突出先端側に、幅方向Ｙの両側に張り出す一対の突部５９を有している。両突部５９のうち、幅方向Ｙ一側の突部５９は、引っ掛け部５１として機能する。
【００４０】
レバーロック部４６Ａは、実施例１と同様に、引っ掛け部５１が被引っ掛け部２２に引っ掛け係止される引っ掛かり位置（図１２（Ａ）を参照）と、引っ掛け部５１が強制変位部６４によって被引っ掛け部２２内から押し出される引っ掛かり解除位置（図１２（Ｂ）を参照）と、その全体がロック解除部６３によってレバーロック受け部１８内から押し出されるロック解除位置（図１２（Ｃ）を参照）とに順次変位可能とされている。実施例２の場合、仮に、レバーロック部４６Ａが引っ掛かり位置において過大な外力を受けて延出部４８の軸周りに傾くと（図１２（Ａ）の２点鎖線を参照）、両突部５９がレバーロック受け部１８の幅方向Ｙの両側端に当接して、レバーロック部４６Ａがレバーロック受け部１８から抜け出るのをより確実に防止することが可能となる。
【００４１】
＜他の実施例＞
本発明は上記記述及び図面によって説明した実施例に限定されるものではなく、例えば次のような態様も本発明の技術的範囲に含まれる。
（１）レバーロック部をロック解除位置に変位させるのを誘導する解除案内面は、ロック解除部では無く、レバーロック本体に設けられるものであってもよい。また、解除案内面は、ロック解除部とレバーロック本体の両方に設けられるものであってもよい。
（２）レバーロック部を引っ掛かり解除位置に変位させるのを誘導する変位案内面は、強制変位部では無く、引っ掛け部に設けられるものであってもよい。また、変位案内面は、強制変位部と引っ掛け部の両方に設けられるものであってもよい。
（３）レバーは、門型板状では無く、平面状の一枚板として構成されるものであってもよい。
（４）レバーが装着されるハウジングは、雌型端子金具を収容可能な雌側コネクタハウジングとして構成されるものであってもよい。
【符号の説明】
【００４２】
１０…ハウジング
１１…ハウジング本体
１８…レバーロック受け部
２１…レバーロック受け本体
２２…被引っ掛け部
４０…レバー
４４…カム溝
４２…アーム部
４６、４６Ａ…レバーロック部
４９…レバーロック本体
５１…引っ掛け部
６０…相手ハウジング
６２…カムフォロア
６３…ロック解除部
６４…強制変位部
【図１】
2014149954.tif 000003
【図２】
2014149954.tif 000004
【図３】
2014149954.tif 000005
【図４】
2014149954.tif 000006
【図５】
2014149954.tif 000007
【図６】
2014149954.tif 000008
【図７】
2014149954.tif 000009
【図８】
2014149954.tif 000010
【図９】
2014149954.tif 000011
【図１０】
2014149954.tif 000012
【図１１】
2014149954.tif 000013
【図１２】
2014149954.tif 000014